(57)【要約】【課題】動作時の低消費電力化を実現するタッチパネル一体型表示装置を提供する。【解決手段】タッチパネル一体型表示装置は、画像を表示する期間においては前記画素電極に対する対向電圧を共通電極へ供給し、タッチを検出する期間においてはタッチを検出するための駆動信号を共通電極へ供給して検出信号を読み出すセンサ駆動部と、表示面に物体が近接したことを検知する近接センサ処理部と、前記近接センサ処理部が前記表示面に対する物体の近接を検知した場合、（ｉ）指によるタッチを検出した場合はペンによるタッチを検出するための制御信号の出力を停止し、（ｉｉ）ペンによるタッチを検出した場合は、指によるタッチを検出するための制御信号の出力を停止する制御部とを備えている。【選択図】図３
2019133527.tif 000002
【特許請求の範囲】
【請求項１】
タッチパネル一体型表示装置であって、
画素電極と、
前記画素電極に対向して設けられた共通電極と、
前記共通電極へ、画像を表示する期間においては前記画素電極に対する対向電圧を供給し、タッチを検出する期間においてはタッチを検出するための駆動信号を供給して検出信号を読み出すセンサ駆動部と、
表示面に物体が近接したことを検知する近接センサ処理部と、
前記近接センサ処理部の検知結果と前記センサ駆動部からの検出信号の処理結果とに基づいて、センサ駆動部の動作を制御する制御部とを備え、
前記制御部は、（ｉ）前記近接センサ処理部が前記表示面に対する物体の近接を検知し、かつ、指によるタッチを検出した場合は、ペンによるタッチを検出するための制御信号の出力を停止し、（ｉｉ）前記近接センサ処理部が前記表示面に対する物体の近接を検知し、かつ、ペンによるタッチを検出した場合は、指によるタッチを検出するための制御信号の出力を停止する、タッチパネル一体型表示装置。
【請求項２】
前記制御部は、前記近接センサ処理部が前記表示面に対する物体の近接を検知し、かつ、指によるタッチとペンによるタッチとの両方を検出した場合は、指によるタッチを検出するための制御信号の出力を停止する、請求項１に記載のタッチパネル一体型表示装置。
【請求項３】
前記制御部は、前記近接センサ処理部が前記表示面に対する物体の近接を検知していない場合は、指によるタッチを検出するための制御信号の出力とペンによるタッチを検出するための制御信号の出力とを停止する、請求項１または２に記載のタッチパネル一体型表示装置。
【発明の詳細な説明】
【技術分野】
【０００１】
本発明は、タッチパネル一体型表示装置に関する。
【背景技術】
【０００２】
従来、ユーザの指やペンによるタッチ位置を検出するタッチセンサ機構を備えたタッチパネル付き表示装置が広く用いられている。このようなタッチパネル付き表示装置の一形態として、タッチセンサ機構が表示パネル内に設けられた、いわゆるインセル型のタッチパネル一体型表示装置が知られている。特に、タッチセンサ機構の構成要素の全てが表示パネルの内部に設けられたものは、フルインセル型と称されている。
【０００３】
フルインセル型のタッチパネル一体型表示装置では、表示パネル内の電極をタッチセンサ電極としても利用する。例えば、液晶表示パネルの画素に共通電圧を供給するための共通電極を複数に分割して、タッチセンサ電極として活用することができる。
【０００４】
また、このようなタッチパネル一体型表示装置において、スリープモード時にジェスチャ検出機能を実現する際の低消費電力化を実現可能な構成が提案されている（例えば、下記の特許文献１参照）。
【先行技術文献】
【特許文献】
【０００５】
【特許文献１】特開２０１７−４４８２号公報
【発明の概要】
【発明が解決しようとする課題】
【０００６】
しかし、上記の特許文献１に記載された構成は、スリープモード時の低消費電力化を目的としたものであり、動作時の低消費電力化を実現するものではない。
【０００７】
以下の開示は、動作時の低消費電力化を実現するタッチパネル一体型表示装置を提供することを目的とする。
【課題を解決するための手段】
【０００８】
上記の目的を達成するための一形態に係るタッチパネル一体型表示装置は、画素電極と、前記画素電極に対向して設けられた共通電極と、前記共通電極へ、画像を表示する期間においては前記画素電極に対する対向電圧を供給し、タッチを検出する期間においてはタッチを検出するための駆動信号を供給して検出信号を読み出すセンサ駆動部と、表示面に物体が近接したことを検知する近接センサ処理部と、前記近接センサ処理部の検知結果と前記センサ駆動部からの検出信号の処理結果とに基づいて、センサ駆動部の動作を制御する制御部とを備えている。前記制御部は、（ｉ）前記近接センサ処理部が前記表示面に対する物体の近接を検知し、かつ、指によるタッチを検出した場合は、ペンによるタッチを検出するための制御信号の出力を停止し、（ｉｉ）前記近接センサ処理部が前記表示面に対する物体の近接を検知し、かつ、ペンによるタッチを検出した場合は、指によるタッチを検出するための制御信号の出力を停止する。
【発明の効果】
【０００９】
上記の構成によれば、動作時の低消費電力化を実現する表示装置を提供することができる。
【図面の簡単な説明】
【００１０】
【図１】図１は、第１実施形態におけるタッチパネル一体型表示装置の機能的な概略構成を示すブロック図である。
【図２】図２は、第１実施形態におけるタッチパネル一体型表示装置の動作を示すタイミングチャートである。
【図３】図３は、タッチパネルの状態と、制御信号の出力の有無との関係を表した図である。
【図４】図４は、第１実施形態におけるタッチパネル一体型表示装置の動作の流れの前半を示すフローチャートである。
【図５】図５は、第１実施形態におけるタッチパネル一体型表示装置の動作の流れの後半を示すフローチャートである。
【発明を実施するための形態】
【００１１】
第１の構成に係るタッチパネル一体型表示装置は、画素電極と、前記画素電極に対向して設けられた共通電極と、前記共通電極へ、画像を表示する期間においては前記画素電極に対する対向電圧を供給し、タッチを検出する期間においてはタッチを検出するための駆動信号を供給して検出信号を読み出すセンサ駆動部と、表示面に物体が近接したことを検知する近接センサ処理部と、前記近接センサ処理部の検知結果と前記センサ駆動部からの検出信号の処理結果とに基づいて、センサ駆動部の動作を制御する制御部とを備えている。前記制御部は、（ｉ）前記近接センサ処理部が前記表示面に対する物体の近接を検知し、かつ、指によるタッチを検出した場合は、ペンによるタッチを検出するための制御信号の出力を停止し、（ｉｉ）前記近接センサ処理部が前記表示面に対する物体の近接を検知し、かつ、ペンによるタッチを検出した場合は、指によるタッチを検出するための制御信号の出力を停止する。
【００１２】
この第１の構成によれば、近接センサ処理部が前記表示面に対する物体の近接を検知した場合、（ｉ）指によるタッチを検出した場合は、ペンによるタッチを検出するための制御信号の出力を停止し、（ｉｉ）ペンによるタッチを検出した場合は、指によるタッチを検出するための制御信号の出力を停止する。これにより、タッチを検出する期間におけるセンサ駆動部の消費電力を低減することができる。
【００１３】
第２の構成に係るタッチパネル一体型表示装置は、第１の構成においてさらに、前記制御部が、前記近接センサ処理部が前記表示面に対する物体の近接を検知し、かつ、指によるタッチとペンによるタッチとの両方を検出した場合は、指によるタッチを検出するための制御信号の出力を停止する。
【００１４】
指によるタッチとペンによるタッチとの両方を検出した場合は、ペンでタッチ操作を行おうとしたユーザが誤って指を接触させてしまったことが理由であると考えられる。上記の第２の構成によれば、この場合に、指によるタッチを検出するための制御信号の出力を停止することにより、その後のペンによるタッチを検出することを可能としながら、センサ駆動部の消費電力を低減することができる。
【００１５】
第３の構成に係るタッチパネル一体型表示装置は、第１または第２の構成においてさらに、前記制御部が、前記近接センサ処理部が前記表示面に対する物体の近接を検知していない場合は、指によるタッチを検出するための制御信号の出力とペンによるタッチを検出するための制御信号の出力とを停止する。
【００１６】
この第３の構成によれば、物体の近接が検知されていない場合は、タッチを検出するための制御信号をすべて停止することにより、センサ駆動部の消費電力を低減することができる。
【００１７】
図１は、本発明の一実施形態における表示装置１００の機能的な概略構成を示すブロック図である。表示装置１００は、ディスプレイユニット１と制御部２とを備えている。ディスプレイユニット１は、タッチセンサ機構が表示パネル内に設けられた、いわゆるインセル型のタッチパネル一体型表示装置である。制御部２は、ディスプレイユニット１へ表示データＤを出力すると共に、ディスプレイユニット１からタッチデータを取得して処理する機能を有している。
【００１８】
ディスプレイユニット１は、液晶ディスプレイ（ＬＣＤ）モジュール１１、タイミングコントローラ１２、パネルコントローラ１３、タッチコントローラ１４、および、近接センサ処理部１５を備えている。
【００１９】
ＬＣＤモジュール１１は、表示パネル１１Ｐ、行ドライバ１１Ｇ、および列ドライバ１１Ｓを有している。表示パネル１１Ｐは、いずれも図示を省略しているが、行ドライバ１１Ｇによって１行ずつ順次に選択される複数のゲート線と、列ドライバ１１Ｓによって駆動される複数のソース線と、ゲート線およびソース線に接続された画素電極とを有している。
【００２０】
また、表示パネル１１Ｐは、画素電極に対向するように設けられた複数の共通電極（図示せず）を備えている。共通電極は、画像を表示する際には、画素電極に対する対向電極として機能し、タッチを検出する際には、センサ電極として機能する。列ドライバ１１Ｓは、共通電極にも接続されており、センサ駆動部としても機能する。
【００２１】
図１に示した例では、共通電極はｎ列にわたって設けられており、列ドライバ１１Ｓは、共通電極の列数と同数のｎ個（すなわち、列ドライバ１１Ｓ１〜１１Ｓｎ）設けられている。ただし、共通電極の列の数と、列ドライバ１１Ｓの数とは、同一でなくても良い。
【００２２】
ＬＣＤモジュール１１において、画像の表示を行う際には、行ドライバ１１Ｇが、ゲート線を１行ずつ順次に選択し、列ドライバ１１Ｓからソース線へ、選択されているゲート線上の各画素で表示すべき階調に応じたデータ信号が供給される。また、上述したとおり、このとき、共通電極は対向電極として機能するので、列ドライバ１１Ｓ１〜１１Ｓｎから共通電極へは、一定のＣＯＭ電位の信号が供給される。
【００２３】
また、ＬＣＤモジュール１１において、タッチ検出を行う際には、列ドライバ１１Ｓ１〜１１Ｓｎから共通電極へ、一定の振幅を有する交流信号（以下、タッチ駆動信号）が供給される。また、列ドライバ１１Ｓ１〜１１Ｓｎは、タッチ検出期間内に、それぞれの共通電極からタッチ検出信号（ＴＲＤ）を読み出す。読み出されたタッチ検出信号（ＴＲＤ）は、タッチコントローラ１４へ送られ、さらに、タッチコントローラ１４から制御部２へ出力される。人の指またはペンが表示面に触れると、接触物と対向電極との間に容量が形成される。したがって、タッチコントローラ１４において、各共通電極から出力されるタッチ検出信号（ＴＲＤ）を収集し、制御部２において、全ての共通電極におけるタッチ検出信号（ＴＲＤ）の変化を解析して、どの共通電極にタッチがなされたかを判断することにより、タッチ位置を検出することができる。
【００２４】
なお、画像の表示とタッチの検出とは交互に行われる。言い換えると、画像の書き込みを行う期間と、タッチの検出を行う期間とは、時分割されている。これについては、後に詳しく説明する。
【００２５】
タイミングコントローラ１２は、制御部２から表示データＤを受け取ると、パネルコントローラ１３へ、ゲート線の駆動タイミングを制御するゲート制御信号（Ｇ＿Ｃｔｒｌ）を出力すると共に、表示すべき画像データのデータ信号Ｄａｔａを、列ドライバ１１へ出力する。また、タイミングコントローラ１２は、画像の表示とタッチ検出との同期をとるためのタッチ同期信号（Ｔ＿Ｓｙｎｃ）を、タッチコントローラ１４へ出力する。なお、タッチ同期信号（Ｔ＿Ｓｙｎｃ）は、タッチコントローラ１４からパネルコントローラ１３および列ドライバ１１Ｓへも出力される。
【００２６】
パネルコントローラ１３は、行ドライバ１１Ｇにゲート制御信号（Ｇ_Ｃｔｒｌ）を出力すると共に、列ドライバ１１Ｓへ定電位ＶＣＯＭを供給する。ＶＣＯＭは、画像の表示時に、画素電極の対向電極として機能する共通電極へ印加される電圧である。
【００２７】
タッチコントローラ１４は、パネルコントローラ１３および列ドライバ１１Ｓへタッチ同期信号（Ｔ＿Ｓｙｎｃ）を出力することにより、タッチの検出処理を制御する。また、列ドライバ１１Ｓからタッチ検出信号（ＴＲＤ）を受け取り、制御部２へ出力する。
【００２８】
近接センサ処理部１５は、ＬＣＤモジュール１１に設けられた近接センサ（図示せず）を制御すると共に、近接センサからの出力信号に基づいて、ＬＣＤモジュール１１の表示面からの一定の距離以内に、何らかの物体が近付いたことを検知する。
【００２９】
なお、近接センサとしては、例えば、静電容量型、誘導型、超音波型、電磁波型、赤外線型等の様々なセンサが知られている。本発明の実施に際して近接センサとしてどのようなセンサを用いるかについては、何らかの物体が近づいたことを検知できるセンサであれば良く、特に制限はない。
【００３０】
次に、図２を参照しながら、表示装置１００における画像表示処理とタッチ検出処理の時分割制御について説明する。図２は、表示装置１００の動作を示すタイミングチャートである。図２では、表示パネル１１Ｐの画面のリフレッシュレートが６０Ｈｚであり（すなわち、１フレームの画面を１６．６ｍｓで表示）、かつ、画像表示とタッチ検出とを１フレーム内において１６Ｈｚで行う例を示している。
【００３１】
図２に示すように、１フレームの表示期間である１６．６ｍｓ内で、モード制御信号（Ｍ＿ＣＴＬ）は１６回、ＨｉｇｈからＬｏｗへ切り替わる。この例では、モード制御信号（Ｍ＿ＣＴＬ）がＨｉｇｈの期間（図２に示すＤ１〜Ｄ１６の期間）は、行ドライバ１１Ｇおよび列ドライバ１１Ｓによってゲート線およびソース線が駆動され、表示パネル１１Ｐへの画像の書き込みが行われる。
【００３２】
そして、図２の例では、モード制御信号（Ｍ＿ＣＴＬ）がＬｏｗの期間は、タッチ検出処理に割り当てられる。また、タッチ検出処理を行う期間には、指によるタッチを検出する期間と、ペンによるタッチを検出する期間とが交互に割り当てられる。すなわち、図２に示すように、１フレームの表示期間において、指によるタッチを検出する期間として、Ｔ１〜Ｔ８の８区間が割り当てられ、ペンによるタッチを検出する期間として、ｔ１〜ｔ８の８区間が割り当てられる。
【００３３】
なお、指によるタッチを検出する場合であって、特に静電容量方式の場合は、指によるタッチの有無を、静電容量の変化量で検出する。一方、ペン（特にアクティブペン）によるタッチの検出は、ペンより送られて来る変調信号を受け、復調処理によりデジタルデータを得て、各種情報を受け取る。なお、指によるタッチ検出およびペンによるタッチ検出の手法は公知であるため、詳しい説明は省略する。
【００３４】
パッシブペンの場合は、指によるタッチの検出と同様の手法によりタッチの検出を行うことができるが、指よりも細いペン先を検出する点において、指によるタッチの検出とは異なっている。アクティブペンの場合は、ペンが内蔵している回路により、筆圧、傾き、ホバー等の機能が実現でき、システム側との組合せによって高度な付加機能を実現することができる。
【００３５】
次に、図３を参照しながら、近接センサ処理部１５による判断結果に応じた動作制御について説明する。
【００３６】
本実施形態にかかる表示装置１００は、何らかの物体が表示面に近づいたことが近接センサ処理部１５によって検出された場合、指によるタッチまたはペンによるタッチが検出されているか否かに応じて、指によるタッチまたはペンによるタッチを検出する期間の信号出力を制限する。以下、図３を参照しながら詳しく説明する。
【００３７】
図３において、近接センサが「ＯＮ」（図３の状態ＳＴ１〜ＳＴ４）の状態は、何らかの物体が表示面に近づいたことが近接センサ処理部１５によって検出された場合であり、近接センサが「ＯＦＦ」（図３の状態ＳＴ５）の状態は、近接センサ処理部１５によって、表示面に近づく物体の存在は検出されていない場合である。
【００３８】
図３に示す状態ＳＴ１は、何らかの物体が表示面に近づいたことが近接センサ処理部１５によって検出され、かつ、直近の２回のタッチ検出期間において、指によるタッチもペンによるタッチも検出されていない状態を示す。この状態において、表示装置１００の制御部２は、タイミングコントローラ１２へ指示を送ることにより、図３の右側に示されているように、表示用の制御信号、指によるタッチを検出するための制御信号、および、ペンによるタッチを検出するための制御信号、のすべてをＯＮとする。したがって、この状態においては、図２に示した画像表示期間Ｄ、タッチ（指）検出期間Ｔ、タッチ（ペン）検出期間ｔのすべてにおいて、制御信号が出力される。
【００３９】
状態ＳＴ２は、何らかの物体が表示面に近づいたことが近接センサ処理部１５によって検出され、かつ、指によるタッチは検出されていないが、ペンによるタッチが検出された状態を示す。この状態において、表示装置１００の制御部２は、タイミングコントローラ１２へ指示を送ることにより、図３の右側に示されているように、表示用の制御信号とペンによるタッチを検出するための制御信号をＯＮとするが、指によるタッチを検出するための制御信号（列ドライバ１１Ｓから出力されるタッチ駆動信号等）をＯＦＦとする。したがって、この状態においては、図２に示した画像表示期間Ｄおよびタッチ（ペン）検出期間ｔにおいては制御信号が出力されるが、タッチ（指）検出期間Ｔにおいては、制御信号が出力されない。これにより、タッチ（指）検出期間Ｔの消費電力を低減することができる。
【００４０】
状態ＳＴ３は、何らかの物体が表示面に近づいたことが近接センサ処理部１５によって検出され、かつ、指によるタッチが検出され、ペンによるタッチは検出されていない状態を示す。この状態において、表示装置１００の制御部２は、タイミングコントローラ１２へ指示を送ることにより、図３の右側に示されているように、表示用の制御信号と指によるタッチを検出するための制御信号をＯＮとするが、ペンによるタッチを検出するための制御信号（列ドライバ１１Ｓから出力されるタッチ駆動信号等）をＯＦＦとする。したがって、この状態においては、図２に示した画像表示期間Ｄおよびタッチ（指）検出期間Ｔにおいては制御信号が出力されるが、タッチ（ペン）検出期間ｔにおいては、制御信号が出力されない。これにより、タッチ（ペン）検出期間ｔの消費電力を低減することができる。
【００４１】
状態ＳＴ４は、何らかの物体が表示面に近づいたことが近接センサ処理部１５によって検出され、かつ、指によるタッチとペンによるタッチの両方が検出された状態を示す。このように指によるタッチとペンによるタッチとの両方が検出される原因としては、ペンでタッチ操作を行おうとしたユーザが誤って指を接触させてしまったことが考えられる。このため、図３の例では、この状態においては、状態ＳＴ２と同じく、表示装置１００の制御部２は、タイミングコントローラ１２へ指示を送ることにより、図３の右側に示されているように、表示用の制御信号とペンによるタッチを検出するための制御信号をＯＮとするが、指によるタッチを検出するための制御信号をＯＦＦとする。これにより、図２に示した画像表示期間Ｄおよびタッチ（ペン）検出期間ｔにおいては制御信号が出力されるが、タッチ（指）検出期間Ｔにおいては、制御信号が出力されない。この結果、タッチ（指）検出期間Ｔの消費電力を低減することができる。ただし、状態ＳＴ４において、上記のようにペンによるタッチの検出を優先するのではなく、指によるタッチの検出を優先させても良い。すなわち、状態ＳＴ４において、状態ＳＴ３と同じ制御を行い、画像表示期間Ｄおよびタッチ（指）検出期間Ｔにおいては制御信号が出力されるが、タッチ（ペン）検出期間ｔにおいては、制御信号が出力されないようにしても良い。
【００４２】
状態ＳＴ５は、近接センサ処理部１５によって物体の接近が検出されていない状態を示す。この場合は、ペンによるタッチを検出するための制御信号と指によるタッチを検出するための制御信号の両方をＯＦＦとする。これにより、図２に示したタッチ（指）検出期間Ｔおよびタッチ（ペン）検出期間ｔにおいては制御信号が出力されない。この結果、近接センサによって物体の接近が検出されていない状態においては、タッチ（指）検出期間Ｔおよびタッチ（ペン）検出期間ｔの消費電力を低減することができる。なお、図３における状態ＳＴ５の「有／無」は、状態に依存しないことを意味する。
【００４３】
次に、図４および図５を参照しながら、表示装置１００の動作について説明する。図４に示すように、近接センサが「ＯＮ」、すなわち、何らかの物体が表示面に近づいている場合（ステップＳ１においてＹｅｓ）は、制御部２が、既に画像表示がなされているか否かを判断する（ステップＳ２）。既に画像表示がなされていれば（ステップＳ２にてＹｅｓ）、処理はステップＳ５へ移行する。まだ画像表示がなされていなければ（ステップＳ２にてＮｏ）、制御部２は、表示制御信号をＯＮにする（ステップＳ３）。これにより、画像表示が行われる（ステップＳ４）。
【００４４】
次に、制御部２は、指によるタッチが既に検出されているか否かを判断する（ステップＳ５）。指によるタッチが既に検出されている場合（ステップＳ５にてＹｅｓ）、処理はステップＳ７へ移行する。指によるタッチが検出されていない場合（ステップＳ５にてＮｏ）、制御部２は、指によるタッチを検出するための制御信号をＯＮにする（ステップＳ６）。
【００４５】
次に、制御部２は、ペンによるタッチが既に検出されているか否かを判断する（ステップＳ７）。ペンによるタッチが既に検出されている場合（ステップＳ７にてＹｅｓ）、処理はステップＳ９へ移行する。ペンによるタッチが検出されていない場合（ステップＳ７にてＮｏ）、制御部２は、ペンによるタッチを検出するための制御信号をＯＮにする（ステップＳ８）。なお、図４に示す「Ａ」は、図５に示す「Ａ」に続く。
【００４６】
続いて、図５に示すように、制御部２は、指またはペンによるタッチが既に検出されているか否かを判断する（ステップＳ９）。指またはペンによるタッチが既に検出されている場合（ステップＳ９にてＹｅｓ）、処理はステップＳ１４へ移行する。これまでにタッチが検出されていなかったが（ステップＳ９にてＮｏ）、新たに指によるタッチが検出された場合（ステップＳ１０にてＹｅｓ）は、制御部２は、ペンによるタッチを検出するための制御信号をＯＦＦにする（ステップＳ１１）。また、新たにペンによるタッチが検出された場合（ステップＳ１２にてＹｅｓ）は、制御部２は、指によるタッチを検出するための制御信号をＯＦＦにする（ステップＳ１３）。
【００４７】
ステップＳ９〜Ｓ１３の処理は、近接センサがＯＮの間、繰り返される。近接センサがＯＦＦになると、処理はステップＳ１５へ移行する。ステップＳ１５において、制御部２は、指によるタッチを検出するための制御信号およびペンによるタッチを検出するための制御信号を停止する。その後、処理は、図４のステップＳ１へ戻る。
【００４８】
なお、図４および図５に示したフローチャートでは、図３に示した状態ＳＴ４を実現するステップは省略されている。近接センサがＯＮであって、かつ、指によるタッチとペンによるタッチとの両方が既に検出されている場合には、ペンでタッチ操作を行おうとしたユーザが誤って指を接触させてしまったことが考えられるので、ペンによるタッチを検出するための制御信号はＯＮとしたまま、指によるタッチを検出するための制御信号を停止するようにしても良い。しかし、この反対に、近接センサがＯＮであって、かつ、指によるタッチとペンによるタッチとの両方が既に検出されている場合に、指によるタッチを検出するための制御信号はＯＮとしたまま、ペンによるタッチを検出するための制御信号を停止するようにしても良い。
【００４９】
以上のとおり、表示装置１００は、表示面に物体が近づいたことを近接センサによって検知し、さらに、指によるタッチが検出されると、ペンによるタッチを検出するための制御信号を停止する。また、表示面に物体が近づいたことを近接センサによって検知し、さらに、ペンによるタッチが検出されると、指によるタッチを検出するための制御信号を停止する。このように、指によるタッチを検出するための制御信号およびペンによるタッチを検出するための制御信号のいずれかを停止させることにより、消費電力の低減を図ることができる。
【００５０】
以上の説明は、本発明の実施形態の具体例に過ぎず、当業者であれば種々の変更が可能である。例えば、上記の説明においては、ＬＣＤモジュールを備えた表示装置を例示したが、液晶ディスプレイ以外のディスプレイを用いることも可能である。
【符号の説明】
【００５１】
１…ディスプレイユニット、２…制御部、１１…ＬＣＤモジュール、１１Ｇ…行ドライバ、１１Ｓ…列ドライバ（センサ駆動部）、１１Ｐ…表示パネル、１２…タイミングコントローラ、１３…パネルコントローラ、１４…タッチコントローラ、１５…近接センサ処理部、１００…表示装置
【図１】
2019133527.tif 000003
【図２】
2019133527.tif 000004
【図３】
2019133527.tif 000005
【図４】
2019133527.tif 000006
【図５】
2019133527.tif 000007